(57)【要約】【課題】外部容器と、無蓋の有底内部容器との間に充填されているガスを、開蓋時に、極めて簡単な手段により、内部容器内、外部容器である缶の側面や底面と、内部容器との間に充填されているガスと共に、瞬時に脱気でき、また、蓋体のスコアと内部容器の口縁部とが重合した状態となり、喫食時に、口元を怪我することがないフルオープン型密封断熱二重缶の構造を開発することにある。【解決手段】フルオープン型密封断熱二重缶Ｘが、蓋面にスコア(11)を形設し、かつ、プルタブ(12)を着設した天蓋１と、耐熱性素材をカップ形状に一体成形し、口縁部上に、スコア切除端が位置し、喫食時に唇等がスコア切除端で怪我することなく、また、内部容器の周部に連通部Ｈを一又は複数形成した有底内容器２と、、有底内外容器２；３の壁間を離隔保持して断熱空間Ｓを形成し、内容物Ｆを有底内部容器２に収容後、窒素ガス置換（ガス処理）を施して密封包装している。【選択図】      図１
2010137891.tif 000002
【特許請求の範囲】
【請求項１】
缶胴体の口部に巻締めされた天蓋の周囲にスコアを形成し、該スコアの一部を天蓋のプルタブで押し下げて引裂き後、プルタブを引き上げることによって、スコアに沿って天蓋のディスクを開放可能なフルオープン型密封缶において、該缶の内部に、飲食物を収納した無蓋の内部容器を設けるに際し、前記天蓋に形成した輪状の突起条、あるいは輪状に突起段部を形成した係合部材に、前記内部容器の口縁部を係止し、該口縁部の上部に、前記天蓋のスコアが位置するよう設け、缶の底部には、有底内部容器との固定手段を形成したことを特徴とするフルオープン型密封断熱二重缶の構造。
【請求項２】
缶胴体の口部に巻締めされた天蓋の周囲にスコアを形成し、該スコアの一部を天蓋のプルタブで押し下げて引裂き後、プルタブを引き上げることによって、スコアに沿って天蓋のディスクを開放可能なフルオープン型密封缶において、該缶の内部に、飲食物を収納した無蓋の内部容器を設けるに際し、缶胴体の側面上端と天蓋の外縁部とが固定される箇所に前記内部容器の口縁部が位置し、かつ、口縁部の上部が前記天蓋のスコアが位置するよう設け、缶の底部には、有底内部容器との固定手段を形成したことを特徴とするフルオープン型密封断熱二重缶の構造。
【請求項３】
缶胴体の口部に巻締めされた天蓋の周囲にスコアを形成し、該スコアの一部を天蓋のプルタブで押し下げて引裂き後、プルタブを引き上げることによって、スコアに沿って天蓋のディスクを開放可能なフルオープン型密封缶において、該缶の内部に、飲食物を収納した無蓋の内部容器を設けるに際し、缶胴体の側面に形成する芯だし用のネックビートにドーナツ状の有底内部容器固定部材を設け、該固定部材を介して外缶に有底内部容器を固定するよう構成し、かつ、前記有底内部容器の口縁部の上部に、前記天蓋のスコアが位置するよう規制し、缶の底部には、有底内部容器との固定手段を形成したことを特徴とするフルオープン型密封断熱二重缶の構造。
【請求項４】
缶胴体の側面を、有底内部容器の側面に添うようにテーパ状に形成したことを特徴とする請求項１又は２又は３記載のフルオープン型密封断熱二重缶の構造。
【請求項５】
有底内部容器の素材が、紙、プラスチック、発泡プラスチック、あるいはこれらの複合体から選ばれたものであることを特徴とする請求項１又は２又は３記載のフルオープン型密封断熱二重缶の構造。
【請求項６】
有底内部容器の口縁端を、該内部容器の厚みより幅広に形成し、該口縁端が、缶の側面に当接するとともに、蓋体のスコアが、前記口縁端に接するよう配設したことを特徴とする請求項１又は２又は３記載のフルオープン型密封断熱二重缶の構造。
【請求項７】
有底内部容器の上縁付近に形成した連通部が、通気性を有する素材で構成されていることを特徴とする請求項１又は２又は３記載のフルオープン型密封断熱二重缶の構造。
【請求項８】
缶胴体と底部と天蓋とで、缶が構成されていることを特徴とする請求項１又は２又は３記載のフルオープン型密封断熱二重缶の構造。
【請求項９】
缶胴体と底部を一体に形成し、これと天蓋とで缶が構成されていることを特徴とする請求項１又は２または３記載のフルオープン型密封断熱二重缶の構造。
【発明の詳細な説明】
【技術分野】
【０００１】
本発明は、缶胴体の口部に巻締めされた天蓋の全内周縁にスコアを形設し、該スコアの一部を天蓋に設けたプルタブを操作して引き裂き、かつ、スコアに沿って裂開してゆき開蓋するようにしたフルオープン型密封缶に係り、詳しくは、内容物を収容する有底内部容器と該内部容器を収容する有底外部容器（以下、缶という）からなる二重構造により断熱空間を形成し、前記内容物を密封包装するようにしたフルオープン型密封断熱二重缶の構造に関する。
【０００２】
また、飲料水又は熱湯を注ぐのみで喫食が可能な加水調理食品又は熱湯調理食品を密封内蔵し、かつ、缶胴部に断熱構造を備えた保存用即席食品に係り、詳しくは、前記密封断熱二重缶に内容物である加水調理食品又は熱湯調理食品を封入した保存用即席食品に関する。なお、「缶」とは金属缶を指称し、「製缶」は「製罐」又は「製鑵」と同義である。
【背景技術】
【０００３】
従来より、食品の缶詰、スープ缶、挽豆コーヒー缶等に見られるように、フルオープン型やプルトップ型の密封缶に関する製缶技術は公知である（例えば、特許文献１、２及び３を参照）。なお、ここでは缶は、溶接缶かアルミ缶（深絞り缶）かは問わない。
【特許文献１】特許第３０２３２９６号公報
【特許文献２】特許第２８７１６４８号公報
【特許文献３】実用新案登録第２５７５４１２号公報
【０００４】
また、麺類や味噌汁等の即席食品のカップ容器に見られるように、缶胴体を二重構造とした断熱容器も数多くの提案がある。ここでは、樹脂製の缶胴体に、樹脂被覆したアルミニウムシートを熱封着した密封蓋がほどんどであり、外装フィルムで容器全体を包装している。この種の断熱容器は、密封容器とはいえ賞味期間が数年間に及ぶ長期保存性と、災害や食料難の地域に向けた救援物資として過酷な搬送に耐えうるような保形性（剛性）を極力強化したものとはなっていない（例えば、特許文献４、５、６及び７を参照）。
【特許文献４】特開２００４−３１５０３２号公報
【特許文献５】特開平８−３１０５６３号公報
【特許文献６】特開平６−２１９４７４号公報
【特許文献７】実開平６−１２７４号公報
【０００５】
こうしたなかで、災害等の備蓄用に保存性を高めた缶詰形態の保存用即席食品の提案があった（例えば、特許文献８を参照）。しかしながら、この公知例は、即席食品の缶詰の外周に断熱材（例えば、発泡スチロール。）を巻回しているにすぎず、熱湯を注入したとき口部の伝熱（加熱）を考慮していないと推認される。喫食時に、熱くて直ぐに口をつけることはできないであろう。また、過酷に取り扱うと断熱材が損傷するという問題も想定される。
【特許文献８】特開平１０−２３８７２号公報
【０００６】
本発明者は、長らく溶接缶の製造に携わってきており、近年、溶接缶の特性（特に、剛性。）を生かした災害支援用の缶詰食品として即席食品（特に、飲料水又は熱湯を注ぐのみで喫食が可能な加水調理食品又は熱湯調理食品。）を内容物とするフルオープン型密封断熱缶の開発を要請され、既に完成に至っている。
【０００７】
そして、このフルオープン型密封断熱二重缶には窒素ガス置換によるガス処理を施しており、開蓋時に、有底内部容器内に充填されているガスは、瞬時に脱気されるが、有底外容器と有底内容器との間に充填されているガスは脱気されず、有底内容器が樹脂製のカップ容器のため、バラツキが生じたり、変形したりするという問題があった。（特許文献９のように。）
【特許文献９】特開２００８−７２０１号公報
【発明の開示】
【発明が解決しようとする課題】
【０００８】
解決しようとする課題は、フルオープン型密封断熱二重缶において、鉄またはアルミニュームを素材とする，外缶、即ち，外部容器と、無蓋の紙製、プラスチック製あるいは発泡プラスチック製の内部容器との間に充填されているガスを、開蓋時に、特別な手段、複雑な手段を講ずることなく、極めて簡単な手段により、内部容器内、及び、外部容器である缶の側面や底面と、内部容器との間に充填されているガスと共に、瞬時に脱気でき、また、蓋体のスコアと内部容器の口縁部とが重合した状態となり、喫食時に、口元を怪我することなく喫食することの出来るフルオープン型密封断熱二重缶の構造を開発することにある。
【課題を解決するための手段】
【０００９】
課題を解決するために本発明は、外部容器の一部である缶胴体の口部に巻締めされた天蓋の周囲にスコアを形成し、該スコアの一部を天蓋のプルタブで押し下げて引裂き後、プルタブを引き上げることによって、スコアに沿って天蓋のディスクを開放可能なフルオープン型密封缶において、該缶の内部に、飲食物を収納した無蓋の内部容器を設けるに際し、前記天蓋には、該内部容器の口縁部と係合する輪状の突起条、あるいは突起段部を形成し、前記内部容器の口縁部の上部に、前記天蓋のスコアが位置するよう設け、缶の底部には、内部容器との固定手段を形成したことを特徴とするフルオープン型密封断熱二重缶の構造からなることを特徴とするものである。
【００１０】
また、内部容器には、飲料水又は熱湯を注ぐのみで喫食が可能な加水調理食品又は熱湯調理食品や保存用即席食品を内蔵したものであったり、加水調理食品又は熱湯調理食品を内部容器内に内蔵し、缶を密封断熱して二重缶に封入した保存用即席食品であって、蓋面にスコアを形設し、かつ、プルタブを着設したフルオープン天蓋と、耐熱性素材（紙製、プラスチック製あるいは発泡プラスチック製）をカップ形状に一体成形し、かつ、有底内容器のフランジ部であって、スコア切除端よりも外周部に連通部を一又は複数形成した有底内部容器と、溶接缶胴部材と缶底部材を二重巻締めして筒状形成した有底外容器を有し、前記有底内外容器の壁間を離隔保持して断熱空間を形成し、口部で有底内外容器、及び天蓋の各フランジ部を密着重合し、かつ、三重巻締めしてなり、窒素ガス置換によるガス処理を施して、又は脱酸素剤を袋投入して密封包装したことを特徴とするものである。
【００１１】
さらに、缶胴体の口部に巻締めされた天蓋の周囲にスコアを形成し、該スコアの一部を天蓋のプルタブで押し下げて引裂き後、プルタブを引き上げることによって、スコアに沿って天蓋のディスクを開放可能なフルオープン型密封缶において、該缶の内部に、飲食物を収納した無蓋の内部容器を設けるに際し、缶胴体の側面に形成する芯だし用のネックビートにドーナツ状の有底内部容器固定部材を設け、該固定部材を介して外缶に有底内部容器を固定するよう構成し、かつ、前記有底内部容器の口縁部の上部に、前記天蓋のスコアが位置するよう規制し、缶の底部には、有底内部容器との固定手段を形成したことを特徴とするフルオープン型密封断熱二重缶の構造からなるものである。
【発明の効果】
【００１２】
本発明によれば、有底内部容器の口縁部には、スコア切除端よりも外周部に連通部を一又は複数形成しているので、開蓋時に、有底内部容器内と、有底内部容器と缶との間に充填されたガスが一気に脱気されるため、有底内部容器にバラツキや変形がなく、安全に使用することができる。
【００１３】
また、連通部を形成した，有底内部容器のフランジ部は、開蓋時に、凸状形成部（内口部周縁）がスコアの切除端より弾性的に台頭復帰することにより、フランジ部とスコアが密着してしまい、脱気後の有底外容器と有底内容器との隙間部には、有底内容器内の飲料水とか注いだ熱湯は入り込むことがない。
【００１４】
また、缶胴体に形成される芯だし用のネックビートに、ドーナツ状の有底内部容器固定部材を被せ、該固定部材に有底内部容器を嵌挿することにより、缶内部をすっきりさせると共に、缶胴体に有底内部容器を固定することができ、また、前記有底内部容器固定部材の内周の径を変えることにより、異なった内径の有底内部容器にも利用できる。
【００１５】
また、下部に進むに従って細くなるテーパ状の内部容器に外缶の形状を添わせる形状とすることにより、外缶の材料を節約することができる。
【００１６】
さらに、内部容器を、紙製、プラスチック製あるいは発泡プラスチック製の耐熱性素材としており、既存の飲食物を収納した容器を無蓋にして用いることもできる等極めて有益なる効果を奏する。
【発明を実施するための最良の形態】
【００１７】
本発明の実施の最良形態は、缶胴体の口部に巻締めされた天蓋の周囲にスコアを形成し、該スコアの一部を天蓋のプルタブで押し下げて引裂き後、プルタブを引き上げることによって、スコアに沿って天蓋のディスクを開放可能なフルオープン型密封缶において、
該缶の内部に、飲食物を収納した無蓋の内部容器を設けるに際し、前記天蓋には、該内部容器の口縁部と係合する輪状の突起条、あるいは突起段部を形成し、前記内部容器の口縁部の上部に、前記天蓋のスコアが位置するよう設け、缶の底部には、内部容器との固定手段を形成したことを特徴とするフルオープン型密封断熱二重缶の構造からなる。
【００１８】
さらに、本発明は、缶胴体の口部に巻締めされた天蓋の周囲にスコアを形成し、該スコアの一部を天蓋のプルタブで押し下げて引裂き後、プルタブを引き上げることによって、スコアに沿って天蓋のディスクを開放可能なフルオープン型密封缶において、該缶の内部に、飲食物を収納した無蓋の内部容器を設けるに際し、前記天蓋には、該内部容器の口縁部と係合する輪状の突起条、あるいは突起段部を形成し、缶胴体の側面に形成する芯だし用のネックビートと内部容器の側面と当接するよう構成し、前記内部容器の口縁部の上部に、前記天蓋のスコアが位置するよう規制し、缶の底部には、内部容器との固定手段を形成したことを特徴とするフルオープン型密封断熱二重缶の構造からなる。
【００１９】
そして、缶胴体の側面を、内部容器の側面に添うようにテーパ状に形成してもよいものである。また、缶の製造の際、芯出し用に形成されるネックビートに、内部容器の側面を当接させて、内部容器の口縁部が、天蓋のスコアに正確に当接するよう構成してもよい。  
【００２０】
さらに、内部容器の素材が、紙、プラスチック、発泡プラスチック、あるいはこれらの複合体から選ばれたものである。
【００２１】
また、内部容器の口縁端を、内部容器の厚みより幅広に形成し、該口縁端が、缶の側面に当接するとともに、蓋体のスコアが、前記口縁端に接するよう配設したものでもよい。  
【００２２】
さらに、内部容器の上縁付近が、通気性を有する素材で構成されているものである。
【００２３】
また、外缶は、胴体部と天蓋と底部から構成されたものや、胴体部と底部を一体に形成した外缶と天蓋からなるものであってもよい。
【実施例１】
【００２４】
本発明のフルオープン型密封断熱二重缶の一実施例（以下、実施例二重缶。）について添付図面を参照して以下説明する。
【００２５】
図１は、本発明の一実施例を示し、（ａ）はこの発明の一実施例を示す断面説明図であり、（ｂ）は、図１（ａ）の部分拡大断面図である。
【００２６】
次に、図２は、本発明の他の実施例を示す断面視説明図である。
【００２７】
図示するように、実施例の二重缶（Ｘ）は、缶胴体の口部に巻締めされた天蓋の全内周縁にスコアを形設し、該スコアの一部を天蓋に設けたプルタブを操作して引き裂き、かつ、スコアに沿って裂開してゆき開蓋するフルオープン型の天蓋を有し、内容物を収容する有底内容器を溶接缶からなる有底外容器に遊嵌した二重構造により断熱空間を形成し、内容物を密封包装するようにしたフルオープン型密封断熱二重缶である。
【００２８】
フルオープン天蓋（１）は、アルミニウム製蓋面に、スコア（11）を形設し、かつ、プルタブ（12）を着設したものである。
【００２９】
有底内部容器（２）は、耐熱性素材で構成され、かつ、下部に進むに従って細くなるテーパ状のカップ形状に一体成形してなるものであり、開蓋時に  口縁部が天蓋のスコア切除端と重合し、エッジが口縁部より内側容器の内部に向かって突出することがないよう保護するものである。
【００３０】
尚、脱気時に外缶と内部容器との間に形成された連通部（Ｈ）は、具体的には、小孔、あるいはスリット、及び、小孔とスリットでもよいが、通気は可能であるが、透水はしない素材を用いてもよい。
【００３１】
外缶（３）は、溶接缶胴部材（31）と缶底部材（32）を二重巻締め（33）して筒状形成した溶接缶（スチール缶）である。
【００３２】
そして、有底内外容器（２）と外缶（３）との壁間を３．５０ｍｍ程度離隔保持して断熱空間（Ｓ）を形成し、密封断熱構造を有している。
【００３３】
なお、内部容器（２）内の内容物（Ｆ）は、飲料水又は熱湯を注ぐのみで喫食が可能な加水調理食品又は熱湯調理食品であって、窒素ガス置換処理を施して、又は脱酸素剤を袋投入して密封包装されるものである。
【実施例２】
【００３４】
本発明の他の実施例について添付図面を参照して以下説明する。図３は、缶構造を示す断面視説明図である。
【００３５】
図示するように、（Ｆ）は、飲料水又は熱湯を注ぐのみで喫食が可能な加水調理食品又は熱湯調理食品を内容物として密封内蔵したものであって、缶底部（32）に内部容器（２）の底面との嵌脱構造を備えた密封断熱二重缶に封入したものである。
【００３６】
そして、密封断熱二重缶は上記実施例二重缶（Ｘ' ）であって、アルミニウム製蓋面にスコア（11）を形設し、かつ、プルタブ（12）を着設したフルオープン天蓋（１）と、耐熱性素材をカップ形状に一体成形した有底内容器（２）と、該容器のテーパ状に添った同じテーパ状の溶接缶胴部材（31）と缶底部材（32）を二重巻締めして筒状形成した有底外缶（３）を有し、有底内部容器（２）と外缶（３' ）の壁間を平行に離隔保持して断熱空間（Ｓ）を形成したものであり、内容物Ｆである加水調理食品又は熱湯調理食品を有底内容器（２）に収容後、窒素ガス置換によるガス処理を施して密封包装している。
【実施例３】
【００３７】
次に、本発明のさらに他の実施例について添付図面を参照して以下説明する。図４は、缶構造を示す断面視説明図である。
【００３８】
缶胴体の口部に巻締めされた天蓋の周囲にスコアを形成し、該スコアの一部を天蓋のプルタブで押し下げて引裂き後、プルタブを引き上げることによって、スコアに沿って天蓋のディスクを開放可能なフルオープン型密封缶において、該缶の内部に、飲食物を収納した無蓋の有底内部容器（２）を設けるに際し、缶胴体の側面に形成する芯だし用のネックビート（４）にドーナツ状の有底内部容器固定部材（５）を設け、該固定部材（５）を介して外缶（３）に有底内部容器（２）を固定するよう構成し、かつ、前記有底内部容器（２）の口縁部の上部に、前記天蓋のスコア（11）が位置するよう規制し、外缶（３）の底部には、有底内部容器（２）との固定手段を形成したことを特徴とするフルオープン型密封断熱二重缶の構造からなる。
【００３９】
ここで、外缶（３）の底部（32）と有底内部容器（２）との固定手段とは、有底内部容器（２）の底面形状に適合するように、図１，図２そして図３に示すように外缶（３）の底部を凹部、あるいは凸部を形成することにより、外缶（３）に内部容器（２）を固定するものである。
【００４０】
さらに、有底内部容器（２）の上縁付近には、連通部（Ｈ）を一又は複数形成して、開蓋時に外缶（３）の口縁部が天蓋（１）のスコア（11）切除端に位置するよう構成してエッジの露出を防止すると共に、脱気後、連通部（Ｈ）より、外缶と有底内部容器との隙間部，即ち，断熱空間に充填されたガスも脱気され、有底内容器のバラツキや変形がないようにしている。なお、ガス処理に代替して脱酸素剤を袋投入して密封包装する場合がある〔図示省略〕。
【産業上の利用可能性】
【００４１】
本発明は、溶接缶を用いた外缶と、内部容器とを用いて、フルオープン型密封断熱二重缶とし、加水調理食品又は熱湯調理食品を缶詰（保存用即席食品）とした製缶技術及び食品加工技術を提供するものであり、長期保存性（密封性を含む）及び保形性（高い剛性に基づく耐衝撃性、積載梱包による搬送性を含む）を担保可能としているので、災害支援や食品備蓄の用に供する物として有用であり、社会的貢献度は大きく、産業上の利用価値が極めて高いものである。
【図面の簡単な説明】
【００４２】
【図１】本発明の一実施例であり、（ａ）は二重缶の断面視説明図であり、（ｂ）は拡大断面視図である。
【図２】本発明の他の実施例二重缶の断面視説明図である。
【図３】本発明のさらに、他の缶構造を示す断面視説明図である。
【図４】本発明のさらに、他の缶構造を示す断面視説明図である。
【符号の説明】
【００４３】
１  フルオープン天蓋
11  スコア
12  プルタブ
２  有底内部容器
３  外缶
31  溶接缶胴部材
32  缶底部材
33  二重巻締め
４  ネックビート
５  内部容器固定部材
Ｈ  連通部
Ｓ  断熱空間
Ｆ  内容物
Ｘ  二重缶
Ｘ′密封断熱二重缶
【図１】
2010137891.tif 000003
【図２】
2010137891.tif 000004
【図３】
2010137891.tif 000005
【図４】
2010137891.tif 000006